(57)【要約】      （修正有）【課題】表示パネル同士の位置ズレが外部に露見しないようにカバーする。【解決手段】携帯型生体情報表示装置およびそれを含む携帯型生体情報測定装置は、複数の表示パネル２０３ａ、２０３ｂが隣り合うように配置された表示部を有し、表示部には、隣り合う複数の表示パネルの表示面側にカバー部材２０４が設けられ、カバー部材２０４は、少なくとも表示パネル２０３ａ、２０３ｂの間の隙間を覆う。【選択図】図３
2018000297.tif 000002
【特許請求の範囲】
【請求項１】
複数の表示パネルが隣り合うように配置された表示部を有し、
前記表示部には、隣り合う前記複数の表示パネルの表示面側にカバー部材が設けられ、
当該カバー部材は、少なくとも当該表示パネルの間の隙間を覆うことを特徴とする携帯型生体情報表示装置。
【請求項２】
前記カバー部材は、前記隣り合う表示パネルの周囲を覆うことを特徴とする請求項１に記載の携帯型生体情報表示装置。
【請求項３】
前記カバー部材は、不透明な部材であることを特徴とする請求項１に記載の携帯型生体情報表示装置。
【請求項４】
前記カバー部材は、前記表示パネルの各々が露出する複数の開口部を有し、前記複数の開口部がそれらの間の仕切り部により分離されていることを特徴とする請求項１ないし３のいずれか１項に記載の携帯型生体情報表示装置。
【請求項５】
前記携帯型生体情報表示装置は、被検者に装着された状態で使用可能であることを特徴とする請求項１ないし４のいずれか１項に記載の携帯型生体情報表示装置。
【請求項６】
請求項１ないし５のいずれか１項に記載の携帯型生体情報表示装置を含む携帯型生体情報測定装置。
【発明の詳細な説明】
【技術分野】
【０００１】
本発明は、心電図や血圧などの生体情報を表示する携帯型生体情報表示装置に関する。
【背景技術】
【０００２】
特許文献１には、心電図、動脈血酸素飽和度（ＳｐＯ2）、血圧などの生体情報を測定するホルタ心電計などの携帯型生体情報測定装置において、表示部を回動可能に支持した構造が記載されている。
【先行技術文献】
【特許文献】
【０００３】
【特許文献１】特許第４５５５００１号公報
【発明の概要】
【発明が解決しようとする課題】
【０００４】
従来は、上記特許文献１のように表示部に表示パネルが１つ搭載されているのが一般的である。これに対して、小型の表示パネルを複数個（２個）近接配置することで表示部を構成する場合には、表示パネル同士を適切に位置決めして固定しないと、表示パネルの取り付け位置がズレてしまい、特に２個の表示パネルに挟まれた中央の隙間が均一に見えずに見栄えを損なってしまう。
【０００５】
本発明は、上述した課題に鑑みてなされ、その目的は、表示パネル同士の位置ズレが外部に露見しないようにカバーすることができる携帯型生体情報表示装置を実現することである。
【課題を解決するための手段】
【０００６】
上記課題を解決し、目的を達成するために、本発明の携帯型生体情報表示装置は、複数の表示パネルが隣り合うように配置された表示部を有し、前記表示部には、隣り合う前記複数の表示パネルの表示面側にカバー部材が設けられ、当該カバー部材は、少なくとも当該表示パネルの間の隙間を覆う。
【０００７】
また、本発明の携帯型生体情報測定装置は、上記携帯型生体情報表示装置を含む。
【発明の効果】
【０００８】
本発明によれば、表示パネル同士の位置が外部に露見しないようにカバーすることができ、表示パネルに挟まれた中央の隙間を均一に見せて見栄えの低下を防止することができる。
【図面の簡単な説明】
【０００９】
【図１】本発明に係る実施形態の携帯型生体信号測定装置の外観斜視図（ａ）および正面図（ｂ）である。
【図２】本実施形態の携帯型生体信号測定装置の分解斜視図である。
【図３】本実施形態の表示モジュールの外観斜視図である。
【発明を実施するための形態】
【００１０】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１１】
＜装置全体の説明＞まず、図１および図２を参照して、本実施形態の携帯型生体情報測定装置の全体構成について説明する。
【００１２】
以下では、本発明の携帯型生体情報表示装置として、被検者に装着した状態で血圧などの生体情報を計測可能な携帯型生体情報測定装置に適用した例を説明する。
【００１３】
図１および図２に示すように、本実施形態の携帯型生体情報測定装置１は、被検者に装着された状態で、心電図、動脈血酸素飽和度（ＳｐＯ2）、血圧などの生体情報を長時間にわたって計測可能なホルタ心電計（以下、測定装置）である。測定装置１は、装置の外形を構成する第１のケース部２ａと第２のケース部２ｂとを備える。第１のケース部２ａの正面部には表示部３および操作部４が設けられる。また、第１のケース部２ａの側面部には、カフや電極、ＳｐＯ2プローブを接続するためのインタフェースコネクタ５が設けられている。第２のケース部２ｂには、電池収納部６などが設けられる。また、第１のケース部２ａの内部には、後述する表示モジュール２００や計測モジュールを有する制御基板７やポンプ組立体１００などが収容される。
【００１４】
表示部３は、計測結果や設定情報、動作状態などを表示する表示パネルを有する。操作部４は、電源／決定ボタンや計測開始ボタン、イベントボタンなどのユーザ操作を受け付ける押しボタン式スイッチである。医療従事者は、表示部３に表示された設定項目を操作部４を操作して選択することで各種の設定を行う。
【００１５】
制御基板７上には、ＣＰＵやメモリなどの演算処理回路、スイッチ素子、圧力センサなどの電気部品、表示モジュール２００（図３参照）および計測モジュール（不図示）が実装されている。表示モジュール２００は、図３で後述するように同じ形状およびサイズ（例えば正方形）の複数（本例では、２個）の表示パネル２０３ａ、２０３ｂが第１のケース部２ａの同一面に隣り合うような位置関係で隣接または近接して配置されている。なお、心電図、動脈血酸素飽和度（ＳｐＯ2）、血圧などの計測方式については既知であるので詳細な説明は省略する。ＣＰＵは、メモリに記憶された各種生体情報の測定プログラムの手順に従い、操作部４からの操作信号に基づいて生体情報の計測処理や記録処理、表示処理を実行する。
【００１６】
＜表示モジュールの説明＞次に、図３を参照して、本実施形態の表示モジュール２００の構成について説明する。
【００１７】
本実施形態の表示モジュール２００は、周囲の下辺部２０１ａと側辺部２０１ｂが位置決め用に起立した平板状のパネル保持部２０１を有し、２個の表示パネル２０３ａ、２０３ｂが取り付けられたパネル保持部２０１がクッション材２２０を介して制御基板７上に配置される。表示パネル２０３ａ、２０３ｂは、例えばカラーメモリ液晶であり、各コネクタ部２１３ａ、２１３ｂが制御基板上のコネクタ部７ａ、７ｂに接続される。パネル保持部２０１に両面テープなどの接着材２０２により貼り着けられ、表面側にベゼル（カバー部材）２０４が両面テープなどの接着材により取り付けられる。ベゼル２０４は不透明な部材からなり、２つの開口部２０４ａ、２０４ｂが中央の仕切り部２０４ｃで分割された構成を有しており、各開口部２０４ａ、２０４ｂに表示パネル２０３ａ、２０３ｂの表示面が露出するように位置決めされる。なお、ベゼル２０４は、表示パネル２０３ａ、２０３ｂの間の隙間や表示面の周囲がベゼル２０４を通して外部に露見しない材料であればよく、例えば着色した材料や光透過性の低い材料などであってもよい。また、表示パネル２０３ａ、２０３ｂは、同じ形状やサイズである必要はなく、同様に、ベゼル２０４の開口部２０４ａ、２０４ｂも中央で仕切られた同じ形状ではなく、表示パネル２０３ａ、２０３ｂに合わせた異なる形状やサイズとなり得る。
【００１８】
パネル保持部２０１と各表示パネル２０３ａ、２０３ｂとの位置決めは、各表示パネル２０３ａ、２０３ｂを、パネル保持部２０１の下辺部２０１ａと側辺部２０１ｂに当てて行う。組み付け手順としては、まず、パネル保持部２０１を制御基板７上の所定の位置に取り付ける。この際、制御基板７の少なくとも一辺と平行になるように取り付ける。次に、パネル保持部２０１に予め形成された所定のガイド位置に両面テープ２０２を貼り付ける。最後に、各表示パネル２０３ａ、２０３ｂをパネル保持部２０１に位置決めしながら、両面テープ２０２でパネル保持部２０１に貼り付ける。
【００１９】
上述した構成によれば、表示パネル２０３ａ、２０３ｂの取り付け位置がズレてしまい、特に表示パネル２０３ａ、２０３ｂに挟まれた中央の隙間が均一に見えずに見栄えを損なう場合であっても、位置ズレがベゼル２０４により外部に露見しないように隠すことができ、ベゼル２０４により均一な隙間に見えるように外見が補正される。
【００２０】
上述した実施形態によれば、表示パネル同士の位置が外部に露見しないようにカバーすることができ、表示パネルに挟まれた中央の隙間を均一に見せて見栄えの低下を防止することができる。
【００２１】
なお、本実施形態ではホルタ心電計を例示したが、本発明は、これに限られず、複数の表示パネルが隣り合うような位置関係で隣接または近接して配置された医療機器に適用可能である。
【符号の説明】
【００２２】
１…携帯型生体情報測定装置、２ａ…第１のケース部、２ｂ…第２のケース部、３…操作部、４…表示部、７…制御基板、１００…ポンプ組立体、２００…表示モジュール、２０３ａ、２０３ｂ…表示パネル、２０４…ベゼル（カバー部材）
【図１】
2018000297.tif 000003
【図２】
2018000297.tif 000004
【図３】
2018000297.tif 000005